(57)【特許請求の範囲】
【請求項１】
燃料タンク又はガスボンベからの燃料を燃焼しその燃焼熱により湯水を加熱するものであって、加熱した湯水を互いに異なる用途に供するための複数の機能を備えた多機能温水装置において、
上記燃料タンク又はガスボンベ内の燃料残量を検知する残量不足検知手段と、この残量不足検知手段により上記燃料タンク又はガスボンベ内の燃料が残り僅かであることが検出されたとき上記複数の機能の内の特定機能の使用を優先し特定機能以外の他の機能の使用を制限する制御手段とを備えている
ことを特徴とする多機能温水装置。
【請求項２】
燃料タンク又はガスボンベからの燃料を燃焼しその燃焼熱により湯水を加熱するものであって、加熱した湯水を互いに異なる用途に供するための複数の機能を備えた多機能温水装置において、
上記燃料タンク又はガスボンベ内の燃料残量が設定量まで低減したことを検知する残量不足検知手段と、この残量不足検知手段により上記燃料タンク又はガスボンベ内の燃料残量が設定量まで低減したことが検出されたとき上記複数の機能の内の特定機能の使用を優先する一方、特定機能以外の他の機能の使用を所定時間だけ又は所定燃料消費量分だけ許可した後に制限する制御手段とを備えている
ことを特徴とする多機能温水装置。
【請求項３】
請求項１又は請求項２に記載の多機能温水装置であって、
複数の機能の内から優先使用させる特定機能を選択的に切換設定するための入力設定手段をさらに備えている、多機能温水装置。
【請求項４】
請求項１〜請求項３のいずれかに記載の多機能温水装置であって、
特定機能以外の他の機能の使用を制限するときその旨を報知する報知手段をさらに備えている、多機能温水装置。
【請求項５】
請求項１〜請求項４のいずれかに記載の多機能温水装置であって、
制御手段は、特定機能以外の他の機能の使用を制限した後に燃料源に燃料が補給されたとき上記他の機能の使用制限を解除するように構成されている、多機能温水装置。
【請求項６】
請求項１〜請求項５のいずれかに記載の多機能温水装置であって、
複数の機能として、給湯機能と、浴槽内の湯水を追い焚きする風呂機能と、温水を熱源として暖房を行う暖房機能との内から選択した少なくとも２機能を備えている、多機能温水装置。
【請求項７】
請求項１〜請求項５のいずれかに記載の多機能温水装置であって、
複数の機能として給湯機能と温水を熱源として暖房を行う暖房機能とを少なくとも備え、
特定機能として上記給湯機能が設定されている、多機能温水装置。
【請求項８】
請求項１〜請求項５のいずれかに記載の多機能温水装置であって、
複数の機能として給湯機能と温水を熱源として暖房を行う暖房機能とを少なくとも備え、
特定機能として上記暖房機能が設定されている、多機能温水装置。
【発明の詳細な説明】
【０００１】
【発明の属する技術分野】
本発明は、燃料を燃焼した際の燃焼熱により湯水を加熱し、加熱した湯水を例えば給湯、風呂追い焚き又は暖房等に供する複数の機能を備えた多機能温水装置に関する。
【０００２】
【従来の技術】
従来より、この種の多機能温水装置として、例えば暖房機能付き給湯器もしくは給湯機能付き温水暖房装置等のように、燃料タンク等から供給される燃料を燃焼させその燃焼熱により熱交換加熱した湯水を一般カランに給湯する給湯回路や、上記湯水を各種暖房端末に循環供給する暖房回路等を備え、１台で給湯機能や暖房機能等の複数の機能を実現し得るものが知られている。
【０００３】
【発明が解決しようとする課題】
ところが、上記従来の多機能温水装置においては、燃料タンク等において燃料切れもしくは燃料が残り僅かになると、例えば安全装置が作動して燃焼が強制停止されて、給湯機能や暖房機能が急に使用不能となる。このため、ユーザにとっては、不意の燃焼停止により初めて燃料切れに気付き燃料補給することになる。このため、燃料が残り僅かの状態で暖房機能の使用が継続されて燃焼が継続されると、いざ給湯を使用しようとしても、その時点ではもはや給湯不能の事態に陥ることになる。逆に、燃料が残り僅かの状態で給湯を継続すると、いざ暖房機能を使用しようとしても、燃料補給してからでないと暖房を行い得ない事態に陥る。これらの場合、給湯もしくは暖房を急いで使用したい場合には準備もそこそこに燃料補給作業を行うことになる。通常、燃料タンク等は屋外に設置されているため、特に寒冷地においては急な燃料補給作業のために大きな負担を強いられることになる。
【０００４】
本発明は、このような事情に鑑みてなされたものであり、その目的とするところは、燃料切れに伴い各種機能が急に使用不能状態に陥ることを回避して、燃料が残り僅かになってもユーザの事情に応じて必要かつ重要な一部の機能の使用継続を図り得る多機能温水装置を提供することにある。
【０００５】
【課題を解決するための手段】
上記目的を達成するために、請求項１に係る発明では、燃料タンク又はガスボンベからの燃料を燃焼しその燃焼熱により湯水を加熱するものであって、加熱した湯水を互いに異なる用途に供するための複数の機能を備えた多機能温水装置を対象として、上記燃料タンク又はガスボンベ内の燃料残量を検知する残量不足検知手段と、この残量不足検知手段により上記燃料タンク又はガスボンベ内の燃料が残り僅かであることが検出されたとき上記複数の機能の内の特定機能の使用を優先し特定機能以外の他の機能の使用を制限する制御手段とを備えるようにした。
【０００６】
この請求項１によれば、燃料タンク又はガスボンベにある燃料の残量が僅かであることが残量不足検知手段により検出されると、特定機能以外の他の機能の使用は制限されるものの、特定機能の使用は優先されることになる。このため、燃料残量が僅かであっても、特定機能以外の他の機能の使用制限により燃料消費を抑えつつ、必要又は重要な機能（特定機能）の使用を可能としたり、その使用継続を引き延ばしたりすることが可能となる。ここで、上記の「使用を制限」とは他の機能の完全使用停止（燃焼の強制停止）あるいは能力低減（燃焼能力の強制低減）の双方を含む。上記の「燃料」には石油（灯油）等の液体燃料や、プロパンガス等の気体燃料が含まれ、液体燃料の場合には例えば燃料タンク等が挙げられ、気体燃料の場合には例えばガスボンベ等が挙げられる。以上の点は以下の各請求項において同じである。
【０００７】
請求項２に係る発明では、燃料タンク又はガスボンベからの燃料を燃焼しその燃焼熱により水を加熱するものであって、加熱した温水を互いに異なる用途に供するための複数の機能を備えた多機能温水装置を対象として、上記燃料タンク又はガスボンベ内の燃料残量が設定量まで低減したことを検知する残量不足検知手段と、この残量不足検知手段により上記燃料タンク又はガスボンベ内の燃料残量が設定量まで低減したことが検出されたとき上記複数の機能の内の特定機能の使用を優先する一方、特定機能以外の他の機能の使用を所定時間だけ又は所定燃料消費分だけ許可した後に制限する制御手段とを備えるようにした。
【０００８】
この請求項２によれば、燃料タンク又はガスボンベにある燃料残量が設定量まで低減したことが残量不足検知手段により検出されると、所定時間だけは複数の機能の使用が共に許可される又は上記他の機能においては所定燃料消費分だけの使用が許可されるものの、その後は、上記他の機能の使用は制限されて特定機能の使用が優先されることになる。このため、燃料残量がある設定量まで低減したとしても、全ての機能をある程度（時間又は燃料消費量）までは使用可能とされ、その後には特定機能以外の他の機能の使用制限により燃料消費を抑えつつ、必要又は重要な機能（特定機能）の使用を可能としたり、その使用継続を引き延ばしたりすることが可能となる。
【０００９】
以上の請求項１又は請求項２においては、さらに、複数の機能の内から優先使用させる特定機能を選択的に切換設定するための入力設定手段を備えるようにしてもよい（請求項３）。このようにすることにより、ユーザ側の事情や、設置されている地域・環境等に応じて優先使用させる特定機能の設定切換えが可能となる。例えば寒冷地であれば暖房機能を優先使用、又は、温暖地であれば給湯機能を優先使用したい等の設定切換えが可能になり、利便性の向上を図り得る。
【００１０】
また、以上の請求項１〜請求項３のいずれかにおいては、さらに、特定機能以外の他の機能の使用を制限するときその旨を報知する報知手段をさらに備えるようにしてもよい（請求項４）。このようにすることにより、機器故障ではなく燃料の残量不足により使用制限が行われたことをユーザに認知させることが可能になる上に、燃料切れになる時点よりもある程度以前に、燃料の残量不足であることをユーザに認知させて燃料補給の準備を余裕を持って行わせることが可能になる。ユーザにとって極めて利便性の高いものとなる。
【００１１】
さらに、以上の請求項１〜請求項４のいずれかにおいては、制御手段の構成として、特定機能以外の他の機能の使用を制限した後に燃料源に燃料が補給されたとき上記他の機能の使用制限を解除する構成を付加するようにしてもよい（請求項５）。このようにすることにより、燃料補給すれば自動的に通常の運転使用状態に復帰させることが可能になる。
【００１２】
以上の請求項１〜請求項５のいずれかにおける「複数の機能」としては以下の具体的構成を採用し得る。
【００１３】
第１に、複数の機能として、給湯機能と、浴槽内の湯水を追い焚きする風呂機能と、温水を熱源として暖房を行う暖房機能との内から選択した少なくとも２機能を備えるものとする（請求項６）。
【００１４】
第２に、複数の機能として給湯機能と温水を熱源として暖房を行う暖房機能とを少なくとも備え、特定機能として上記給湯機能を設定する（請求項７）。
【００１５】
第３に、複数の機能として給湯機能と温水を熱源として暖房を行う暖房機能とを少なくとも備え、特定機能として上記暖房機能を設定する。
【００１６】
なお、上記の「暖房機能」としては、温水の熱放熱により床暖房を行う床暖房機能、温水を熱源として温風暖房を行う温風暖房機能、及び、温水を熱交換媒体として乾燥を行う乾燥機能の内から選択した１又は２以上の組み合わせを採用するようにすればよい。
【００１７】
【発明の効果】
以上、説明したように、請求項１の多機能温水装置によれば、燃料タンク又はガスボンベ内の燃料残量が僅かであっても、特定機能以外の他の機能の使用制限により燃料消費を抑えつつ、必要又は重要な機能の使用や使用継続を実現させることができる。
【００１８】
また、請求項２の多機能温水装置によれば、燃料タンク又はガスボンベ内の燃料残量がある設定量まで低減したとしても、全ての機能をある程度（時間又は燃料消費量）までは使用可能とし、その後には特定機能以外の他の機能の使用制限により燃料消費を抑えつつ、必要又は重要な機能の使用や使用継続をを実現させることができる。
【００１９】
請求項３によれば、入力設定手段による切換設定によって、請求項１又は請求項２において優先使用させる特定機能を、ユーザ側の事情や、設置されている地域・環境等に応じて、つまりユーザ事情や設置環境に応じて変化する必要性や重要性に応じて設定切換えすることができ、利便性の向上を図ることができる。
【００２０】
請求項４によれば、報知手段による報知によって、装置の作動状況や燃料残量の状況をユーザに認知させることができる。特に、燃料切れになる時点よりもある程度以前に燃料の残量不足であることをユーザに認知させて燃料補給の準備を余裕を持って行わせることができるようになり、ユーザにとって極めて利便性の高いものとすることができる。
【００２１】
請求項５によれば、制御手段に対し燃料不足が解消したときに使用制限の自動解除を行わせることにより、通常の運転使用状態に自動復帰させることができるようになる。
【００２２】
請求項６〜請求項８のいずれかによれば、多機能温水装置が備える複数の機能を具体的に特定することができる。特に、請求項７によれば、給湯機能が重視させる環境に設置される多機能温装置として好適となり、請求項８によれば、暖房機能が重視される環境に設置される多機能温装置として好適となる。
【００２３】
【発明の実施の形態】
以下、本発明の実施形態を図面に基づいて説明する。
【００２４】
図１は、本発明の実施形態に係る多機能温水装置として給湯機能、風呂機能及び暖房機能を備える多機能石油給湯器１００の概略全体図を示している。同図において、１１０は上記多機能石油給湯器１００の作動制御や本発明に係る燃料不足時の優先使用制御を行う制御手段を含むコントローラ、２００は燃料源として石油（灯油）燃料を貯留する燃料タンク、２０１はこの燃料タンク２００の燃料残量が設定量まで減少したことを検出する残量不足検知手段、３００は給湯機能により給湯される１又は２以上の一般カラン（図１には１つのみ図示）、４００は風呂機能により内部の湯水が追い焚きされる浴槽、５００及び５０１は暖房機能により温水が供給される暖房端末としての浴室乾燥機及び床下暖房機、６００，６００，６００は入力設定手段及び報知手段を兼ねる台所用，浴室用，暖房用のリモコン（リモートコントローラ）である。
【００２５】
上記多機能石油給湯器１００は、上記燃料タンク２００に貯留された石油（灯油）を燃料として燃焼させることにより、その燃焼熱と熱交換加熱した温水を暖房機能の使用のためにそのまま暖房端末５００，５０１に循環供給したり、その加熱温水との熱交換により加熱された湯水を給湯機能の使用のために上記一般カラン３００に出湯させたり、又は、風呂機能の使用のために上記加熱温水との熱交換により浴槽４００内の湯水を循環加熱したりするものである。そして、上記残量不足検知手段２０１により燃料タンク２００内の燃料残量が設定量まで減少したことが検出されると、その検出信号を受けて上記コントローラ１１０により残量不足時の優先使用制御が行われる。この際、上記コントローラ１１０は、優先使用させる特定機能として予め設定された機能か、あるいは、上記リモコン６００により切換設定された機能を優先使用させ、それ以外の他の機能の使用を制限するようになっている。
【００２６】
次に、上記多機能温水装置１００の具体的な構成例を図２に基づいて説明する。
【００２７】
図２の多機能温水装置１００は、熱交換缶体１０と、上記燃料タンク２００からの燃料供給を受けて燃焼させる燃焼系２０と、給湯回路３０，追い焚き回路４０及び暖房回路５０の３つの熱交換回路とを備えたものである。
【００２８】
上記熱交換缶体１０は、下部位置に燃焼バーナ２１が臨んで配設された燃焼室１１と、この上側位置に区画形成された貯留室としての貯湯室１２とを備えたものである。上記燃焼室１１から１又は２以上の燃焼排ガス通路１３が上記貯湯室１２を貫通するよう上方に延ばされ、貫通後、排気筒１４により集合されている。そして、上記貯湯室１２内の外周寄りの位置には給湯回路３０の熱交換コイル３１が巻回状態で配設される一方、内周寄りの位置には追い焚き回路４０の熱交換コイル４１が巻回状態で配設されている。また、上記貯湯室１２には内部の貯湯温度を検出する缶体温度センサ１５が配設されている。
【００２９】
上記貯湯室１２内には上記燃焼室１１からの燃焼熱により加熱される被加熱媒体である湯水が貯留され、この貯留湯水は暖房機能の使用（暖房運転）時には暖房回路５０への循環媒体として直接使用される一方、給湯機能の使用（給湯運転）時もしくは風呂機能の使用（追い焚き運転）時には上記給湯用もしくは追い焚き用の各熱交換コイル３１，４１内の入水もしくは浴槽水を液−液熱交換により加熱する加熱媒体として使用されるようになっている。従って、上記貯湯室１２に貯留する被加熱媒体は不凍液等の液体であってもよい。
【００３０】
上記燃焼系２０は燃焼室１１に臨んで配設された燃焼バーナ２１を備えている。この燃焼バーナ２１は、図例では液体燃料である石油（灯油）を燃焼させるリターン式噴霧ノズルを有するガンタイプバーナにより構成されている。この燃焼バーナ２１は、電磁開閉弁２２及び電磁供給ポンプ２３が介装された燃料供給管２４により供給された石油を噴霧して燃焼させ、供給された一部の石油をリターン管２５を通して上記電磁開閉弁２２と電磁供給ポンプ２３との間の燃料供給管２４に対し戻すようになっている。上記リターン管２５には、リターン油の流量を比例制御する流量制御弁２６及びリターン油をリターン側にのみ流す逆止弁が介装されている。そして、上記流量制御弁２６によるリターン油の流量がコントローラ１１０により変更制御されて、燃焼バーナ２１の燃焼量が比例制御されるようになっている。また、上記電磁開閉弁２２がコントローラ１１０により開閉制御されて燃焼開始又は燃焼停止が行われるようになっている。
【００３１】
なお、図２中２７は上記燃焼バーナ２１から噴霧される石油に着火させる点火トランス、２８は燃焼用空気を供給する送風ファンである。
【００３２】
上記給湯回路３０は、入水管３２から上記給湯用熱交換コイル３１に水道水が入水され、上記熱交換コイル３１にて加熱された湯水が出湯管３３に出湯され、バイパス管３４からの水が水混合比例弁３７により混合されることにより設定出湯温度とされた湯水が給湯管３５を通して一般カラン３００に給湯されるようになっている。そして、上記入水管３２には入水温度センサ３２ａ及び入水流量センサ３２ｂが設けられる一方、上記出湯管３３には熱交換缶体１０で加熱された後の出湯温度を検出する出湯温度センサ３３ａが設けられ、給湯管３５には給湯量制御弁３６及び給湯温度センサ３５ａが設けられている。また、上記給湯管３５には、浴槽４００（図１参照）にお湯を注湯して湯張りするための風呂注湯回路６０の注湯管６１の上流端が分岐接続されている。この注湯管６１には、注湯流量センサ６２と、注湯電磁弁６３と、給湯回路３０側への逆流を阻止するための逆止弁６４とが介装されている。
【００３３】
追い焚き回路４０は浴槽４００内の湯水が循環ポンプ４２の作動により戻り管４３を通して上記追い焚き用熱交換コイル４１に戻され、その熱交換コイル４１にて追い焚き加熱された湯水が往き管４４を通して上記浴槽４００に戻されるようになっている。上記戻り管４３には、上記循環ポンプ４２に加え、圧力検出により浴槽４００内の水位を検出する水位検出センサ４７、水流スイッチ４８及び風呂温度センサ４９がそれぞれ介装されている。なお、本実施形態においては、上記貯湯室１２内の貯湯が所定温度範囲に常時維持されているため、上記各熱交換コイル３１，４１内も所定温度範囲に常時加熱されている。また、風呂注湯回路６０の注湯管６１の下流端は追い焚き回路４０の戻り管４３と往き管４４とを連通させるバイパス管４５に対し連通接続されており、三方切換弁４６の切換えにより湯張りのための注湯を戻り管４３及び往き管４４の双方から浴槽に落とし込みが行い得るようになっている。
【００３４】
上記暖房回路５０は、上流端が上記貯湯室１２の最上部に接続され循環ポンプ５１の作動により上記貯湯室１２頂部の高温水を高温暖房端末５００（図１参照）まで供給する高温暖房往き管５２と、各種暖房端末で放熱された後の低温水を上記貯湯室１２の下部に戻す暖房戻り管５３と、この暖房戻り管５３の途中から分岐して低温暖房端末５０１に低温水を供給する低温暖房往き管５４とを備えている。上記暖房戻り管５３にはバイパス弁５５を介して上記貯湯室１２の上部と連通するようバイパス管５６が接続され、このバイパス管５６との接続位置に貯水部５７が介装されている。この貯水部５７には、上記貯湯室１２内の水位を検出する貯湯水位検出センサ５７ａと、上部に圧力逃がし弁５７ｂとが配設されている。また、上記貯水部５７にはリザーブタンク５８が接続され、上記貯湯室１２内の水位低下が生じた際に貯水部５７を介して貯湯室１２に対し水を補給し得るようになっている。
【００３５】
以上の多機能温水装置１００はＭＰＵやメモリー等を備えたコントローラ１１０により作動制御されるようになっており、このコントローラ１１０は各種のリモコン６００，６００，６００を介してユーザによる各種指令の入力設定を受けたり状態表示を行うようになっている。そして、上記コントローラ１１０は、図３に示すように給湯回路３０による給湯運転を行う給湯制御部１１１と、風呂注湯回路６０による浴槽４００への湯張り運転及び追い焚き回路４０による追い焚き運転等を行う風呂制御部１１２と、暖房回路５０による暖房運転を行う暖房制御部１１３とに加え、燃料タンク２００内の燃料残量が低減したときに特定運転（特定機能の使用）を優先させて他の運転（他の機能の使用）を制限する残量不足時制御部１１４を備えている。
【００３６】
上記給湯制御部１１１は、一般カラン３００が開かれて最低作動流量以上の流量が入水流量センサ３２ｂにより検出されると、給湯側の各種センサ３２ａ，３２ｂ，３３ａ，３５ａからの検出信号を受けて給湯が上記リモコン６００に設定された設定出湯温度になるように燃焼系２０の燃焼作動及び水混合比例弁３７での混合比を調整するようになっている。この際、上記燃焼系２０の燃焼作動として、熱交換コイル３１に対し所定の熱量が加えられるようにすべく、缶体温度センサ１５の検出信号に基づき例えばオン・オフ燃焼の時間値を変更して貯湯室１２内の湯水を加熱するようにされる。
【００３７】
上記風呂制御部１１２は、まず、リモコン６００からの湯張り指令を受けて注湯電磁弁６３を開き給湯回路３０の運転により所定湯温の湯水を注湯管６１、戻り管４３及び往き管４４を通して浴槽４００に落とし込む。次いで、自動的にもしくはリモコン６００からの追い焚き指令を受けて循環ポンプ４２の作動及び燃焼系２０の燃焼作動により所定の設定温度まで追い焚きするようになっている。この際の燃料系２０の燃焼作動も、熱交換コイル４１に対し所定の熱量が加えられるようにすべく、缶体温度センサ１５の検出信号に基づき例えばオン・オフ燃焼の時間値を変更して貯湯室１２内の湯水を加熱するようにされる。
【００３８】
上記暖房制御部１１３は、リモコン６００から暖房運転のＯＮ指令が出力されると、循環ポンプ５１を作動させ、貯湯室１２内の湯水温度（温水温度）が暖房用の所定温度を維持するように缶体温度センサ１５からの検出信号に基づき燃焼系２０の燃焼制御を行うようになっている。
【００３９】
上記残量不足時制御部１１４は、タイマ１１５を備え、予め特定機能として給湯回路３０による「給湯」が初期設定されている。この設定はユーザの事情等に応じてユーザがリモコン６００の例えば切換スイッチを操作することにより上記の初期設定から暖房回路５０による「暖房」に設定切換えを行い得るようになっている。もちろん、このほかに、追い焚き回路４０による「風呂（出湯又は追い焚き）」を特定機能として選択して設定切換えを行い得るようにしてもよい。そして、上記残量不足時制御部１１４は、残量不足検知手段２０１からのＯＮ信号の出力を受けて制御を開始し、ＯＦＦ信号の出力を受けてそれまでの制御内容を解除するようになっている。
【００４０】
ここで、上記残量不足検知手段２０１は、燃料タンク２００（図１参照）内の燃料残量（燃料液面レベル）が予め設定した設定量まで減少するとＯＮ信号をコントローラ１１０に出力し、その設定量よりも増加するとＯＦＦ信号を出力するものである。上記「設定量」としては、燃料切れ直前の残量ではなくて、燃料を補給作業に要する時間に相当する分の燃焼量に対応する残量もしくはそれにプラスアルファした残量の値が設定される。また、上記のような残量不足検知手段２０１としては、例えばフロートスイッチもしくは水位電極棒等により構成すればよい。また、上記残量不足検知手段２０１としては、燃料供給管２４の途中に介装した補助タンク内の燃料液面レベルを監視するフロートスイッチ等や、あるいは、燃料供給管２４等内の燃料の内圧を圧力センサ等により検出することにより燃料タンク２００内の燃料の液頭圧を検出し、これにより上記の燃料液面レベルを検出するようにしてもよい。
【００４１】
以下、上記残量不足時制御部１１４による制御を図４を参照しつつ説明する。
まず、優先使用する特定機能として設定されているのが「給湯」であるか否か、つまり、「給湯」か「暖房」かを判定する（ステップＳ１）。
【００４２】
特定機能として「給湯」が設定されている場合には、次に、残量不足検知手段２０１からのＯＮ信号が出力されたか否かを判定し（ステップＳ２）、ＯＮ信号が出力されたのであれば、燃焼時間タイマ１１５をスタートさせ（ステップＳ２でＹＥＳ、ステップＳ３）、リモコン６００を通してユーザに報知する（ステップＳ４）。この報知は例えば「燃料が残り僅かです。燃料を補給して下さい。あと少しの間は全ての運転が可能ですが、その後は、給湯のみ使用可能となります」というメッセージを音声報知したり、リモコン６００の表示部に文字表示したりする。もちろん警告灯の点灯・点滅を併せて行うようにしてもよい。
【００４３】
上記の燃焼時間タイマ１１５がタイムアップするまでは給湯運転及び暖房運転のいずれかもしくは双方が運転中であればその運転、つまり燃焼作動を継続させ、また、運転中でなければ運転開始の指令があれば運転を開始させる（ステップＳ５でＮＯ）。そして、タイムアップすれば、給湯運転中ならばその給湯運転を継続し、給湯運転中でなければ一般カラン３００が開かれれば給湯運転を開始するという給湯運転のみ使用を許可する給湯優先使用とし、他の機能である暖房運転を停止、つまり暖房運転のための燃焼作動を停止して以後の暖房運転のための燃焼作動を禁止してリターンする（ステップＳ５でＹＥＳ、ステップＳ６）。
【００４４】
そして、上記ステップＳ４の報知に気付いたユーザが燃料タンク２００に燃料補給すれば、残量不足検知手段２０１からＯＦＦ信号が出力されるため、ステップＳ２の判定では「ＮＯ」となり、上記報知を解除するとともに暖房運転のための燃焼作動を許可する（ステップＳ７）。
【００４５】
以上の如くして燃料の残量不足のときの給湯優先制御が行われる。
【００４６】
一方、ユーザが特定機能について設定切換えを行い、ステップＳ１での特定機能の判定が「暖房」であれば、残量不足検知手段２０１からのＯＮ信号が出力されたか否かの判定を行い（ステップＳ８）、ＯＮ信号が出力されれば燃焼時間タイマ１１５をスタートさせ（ステップＳ９）、リモコン６００によりユーザに対する報知を行う（ステップＳ１０）。この場合の報知は、例えば「燃料が残り僅かです。燃料を補給して下さい。あと少しの間は全ての運転が可能ですが、その後は、暖房のみ使用可能となります」というメッセージの音声報知もしくは文字表示あるいは組み合わせを行う。もちろん、上記と同様に警告灯の点灯・点滅を併せて行うようにしてもよい。
【００４７】
上記の燃焼時間タイマ１１５がタイムアップするまでは給湯運転及び暖房運転のいずれかもしくは双方が運転中であればその運転、つまり燃焼作動を継続させ、また、運転中でなければ運転開始の指令があれば運転を開始させる（ステップＳ１１でＮＯ）。そして、タイムアップすれば、暖房運転中ならばその暖房運転を継続し、暖房運転中でなければリモコン６００の暖房のＯＮスイッチが押されれば暖房運転を開始するという暖房運転のみ使用を許可する暖房優先使用とし、他の機能である給湯運転を停止、つまり給湯運転のための燃焼作動を停止して以後の給湯運転のための燃焼作動を禁止してリターンする（ステップＳ１１でＹＥＳ、ステップＳ１２）。
【００４８】
そして、上記ステップＳ１０の報知に気付いたユーザが燃料タンク２００に燃料補給すれば、残量不足検知手段２０１からＯＦＦ信号が出力されるため、ステップＳ８の判定では「ＮＯ」となり、上記報知を解除するとともに暖房運転のための燃焼作動を許可する（ステップＳ１３）。
【００４９】
以上の如くして燃料の残量不足のときの暖房優先制御が行われる。
【００５０】
＜他の実施形態＞
なお、本発明は上記実施形態に限定されるものではなく、その他種々の実施形態を包含するものである。すなわち、上記実施形態では、１つの燃焼バーナ２１及び１つの熱交換缶体１０により給湯回路３０、追い焚き回路４０及び暖房回路５０に対する熱交換加熱が行われる多機能温水装置１００を示したが、これに限らず、給湯回路と暖房回路とが別々の燃焼バーナにより加熱される構成の多機能温水装置としてもよい。この場合には、給湯優先制御の場合には、給湯回路用の燃焼バーナのみ燃焼作動を許可し、他の暖房回路用の燃焼バーナの燃焼作動を禁止又は燃焼能力を強制低減させるようにし、暖房優先制御の場合には上記とは逆に暖房回路用の燃焼バーナのみ燃焼作動を許可し、他の給湯回路用の燃焼バーナの燃焼作動を禁止又は燃焼能力を強制低減させるようにしてもよい。
【００５１】
上記実施形態のフローチャート（図４）では、特定機能として「給湯」か「暖房」かのいずれかが設定されている場合について説明したが、これに限らず、「給湯」、「暖房」及び「風呂（注湯又は追い焚き）」のいずれか１又は２を特定機能として設定し、設定された特定機能についての優先制御を行うようにしてもよい。
【００５２】
上記実施形態では燃焼時間タイマ１１５に基づく所定時間だけ全ての機能の使用を許可するようにしているが、これに限らず、上記タイマ１１５を省略し残量不足検知手段２０１がＯＮ信号を出力した時点から燃焼バーナ２１での燃料消費量の積算値が設定消費量になるまで全ての機能の使用を許可するようにしてもよい。例えば缶体温度センサ１５等からの温度検出値に基づいて加えられた熱量を演算しその熱量から燃料消費量に換算するようにすればよい。
【００５３】
また、上記実施形態では残量不足検知手段２０１からＯＮ信号が出力されてもタイマ１１５の所定時間経過までは全ての機能の使用を許可しているが、これに限らず、例えば上記ＯＮ信号の出力によりリモコン６００を通じての報知と共に直ぐに特定機能の優先制御に入り特定機能以外の他の機能の使用を制限するようにしてもよい。
【００５４】
さらに、上記実施形態では特定機能として「給湯」が予め初期設定された場合を説明したが、これに限らず、例えば「暖房」もしくは「風呂」を特定機能として予め初期設定しておいてもよい。
【図面の簡単な説明】
【図１】本発明の実施形態の概略全体図を示す模式図である。
【図２】多機能石油給湯器の詳細を示す模式図である。
【図３】コントローラの内容を示すブロック図である。
【図４】残量不足時制御の内容を示すフローチャートである。
【符号の説明】
３０            給湯回路（給湯機能）
４０            追い焚き回路（風呂機能）
５０            暖房回路（暖房機能）
１１４          残量不足時制御部（制御手段）
２００          燃料タンク（燃料源）
２０１          残量不足検知手段
６００          リモコン（入力設定手段、報知手段）
【図１】
0004666195.tif 000002
【図２】
0004666195.tif 000003
【図３】
0004666195.tif 000004
【図４】
0004666195.tif 000005